(57)【要約】【課題】試料収容部の形成材料に対する性質や培養条件などが異なる各種試料でも、一つの生化学用容器を使用して能率良く測定でき、その上、各試料収容部の底部下面側を効率良く研磨し易くする。【解決手段】光透過性の底部１を備えた複数の試料収容部Ａを並設してある生化学容器であって、試料収容部を構成する複数の収容容器Ｂと、収容容器の複数を支持可能な容器支持部Ｃとを各別に形成してあり、収容容器の底部を光透過性を備えた材料で形成するとともに、その底面９が下方に露出し、かつ、容器支持部の設置部１０よりも下方に突出しないように、容器支持部に着脱自在に支持してある。【選択図】        図２
2004191188.tif 000002
【特許請求の範囲】
【請求項１】
光透過性の底部を備えた複数の試料収容部を並設してある生化学容器であって、
前記試料収容部を構成する複数の収容容器と、前記収容容器の複数を支持可能な容器支持部とを各別に形成してあり、
前記収容容器の底部を光透過性を備えた材料で形成するとともに、その底面が下方に露出し、かつ、前記容器支持部の設置部よりも下方に突出しないように、前記容器支持部に着脱自在に支持してある生化学容器。
【請求項２】
厚み方向に貫通する複数の貫通孔を形成してある板材で前記容器支持部を構成し、
前記収容容器の外周面を前記貫通孔に入り込ませて、前記収容容器を前記容器支持部に着脱自在に支持してある請求項１記載の生化学容器。
【請求項３】
前記収容容器の外周面と前記貫通孔の内周面とを下方側ほど小径の円錐台形状に形成し、
前記収容容器の外周面を前記貫通孔の内周面に嵌合して、前記収容容器を前記容器支持部に着脱自在に支持してある請求項２記載の生化学容器。
【発明の詳細な説明】
【０００１】
【発明の属する技術分野】
本発明は、光透過性の底部を備えた複数の試料収容部を並設してある生化学容器に関する。
【０００２】
【従来の技術】
培養液などの試料を検査したり分析するために、従来から、紫外線などを照射することにより試料が発する蛍光や、試薬を滴下することにより試料が発する光を測定することが行われており、上記生化学容器は、マイクロプレートリーダなどの光測定装置に装着することによって、各試料収容部に収容した試料が発する蛍光などの光を、光透過性の底部を通して、その下面側から能率良く測定することができるようにしてある。
従来の生化学容器では、複数の貫通孔を形成した板材の一側面に光透過性材料で形成してある基板を一体に接着固定して、光透過性の底部を備えた複数の試料収容部を同一材料で一体不可分に設けている（例えば、特許文献１参照) 。
【０００３】
【特許文献１】
特開２００２−１２５６５６号公報
【０００４】
【発明が解決しようとする課題】
このため、水溶液を使用する試料と、有機溶剤（例えばイソオクタン等）を使用する試料とがある場合、例えばポリスチレン樹脂等の合成樹脂材料で各試料収容部を形成してある生化学用容器には、水溶液を使用する試料を収容しても合成樹脂材料が試料中に溶解するおそれが少ないが、有機溶剤を使用する試料を収容すると、合成樹脂材料が試料中に溶解して、生化学容器を繰り返し使用できなくなったり、溶解した樹脂材料の影響で測定精度を損なうおそれがあるので、このような試料については、耐有機溶剤性の高い材料で各試料収容部を形成してある別の生化学用容器を使用する必要があり、例えば水溶液を使用する試料と有機溶剤を使用する試料との合計数が一つの生化学用容器に設けてある試料収容部の数以下であって、一つの生化学用容器の試料収容部に各試料を収容すれば、能率良く測定することができる場合でも、二種類の生化学用容器に分けて収容して測定する必要があり、能率良く測定することができない欠点がある。
また、例えば試料収容部の形成材料に対する性質が同じ試料の合計数が一つの生化学用容器に設けてある試料収容部の数以下であって、それらの試料を、その試料の性質に適した材料で各試料収容部を形成してある一つの生化学用容器に収容すれば、能率良く測定することができる場合でも、例えば培養温度や培養時間などの培養条件が異なっている試料が混在していると、培養条件が同じ試料毎に分けて別々の生化学用容器に収容して培養してから、それらの生化学用容器毎に測定する必要があり、この場合も能率良く測定することができない欠点がある。
その上、複数の貫通孔を形成した板材の一側面に、光透過性の底部を構成する基板を一体に接着固定してあるので、基板を型に入れて成形してある場合は、光透過率を上げるために各試料収容部の底部下面を研磨する必要があるが、基板の各試料収容部毎に対応する箇所のみを効率良く研磨しにくい欠点もある。
本発明は上記実情に鑑みてなされたものであって、試料収容部の形成材料に対する性質や培養条件などが異なる各種試料でも、一つの生化学用容器を使用して能率良く測定でき、その上、各試料収容部の底部下面を効率良く研磨し易くすることを目的とする。
【０００５】
【課題を解決するための手段】
請求項１記載の発明の特徴構成は、光透過性の底部を備えた複数の試料収容部を並設してある生化学容器であって、前記試料収容部を構成する複数の収容容器と、前記収容容器の複数を支持可能な容器支持部とを各別に形成してあり、前記収容容器の底部を光透過性を備えた材料で形成するとともに、その底面が下方に露出し、かつ、前記容器支持部の設置部よりも下方に突出しないように、前記容器支持部に着脱自在に支持してある点にある。
【０００６】
〔作用及び効果〕
例えば、水溶液を使用する試料と、有機溶剤を使用する試料とがある場合は、合成樹脂材料で形成してある光透過性の底部を備えた収容容器と、耐有機溶剤性の高い材料で形成してある光透過性の底部を備えた収容容器とを製作しておき、それら収容容器を一つの共通の容器支持部に、その底面が下方に露出し、かつ、その容器支持部の設置部よりも下方に突出しないように支持して、複数の試料収容部を並設してある生化学容器を構成し、水溶液を使用する試料は合成樹脂材料で形成してある収容容器に収容し、有機溶剤を使用する試料は耐有機溶剤性の高い材料で形成してある収容容器に収容すれば、従来のように二種類の生化学用容器に分けて収容した状態で測定することなく、能率良く測定することができる。
また、例えば試料収容部の形成材料に対する性質が同じ試料でも、培養温度や培養時間などの培養条件が異なっている試料が混在している場合は、各試料をその性質に適した材料で形成してある光透過性の底部を備えた収容容器に収容して、対応する培養条件で培養してから、それらの収容容器を一つの共通の容器支持部に、その底面が下方に露出し、かつ、その容器支持部の設置部よりも下方に突出しないように支持して、複数の試料収容部を並設してある生化学容器を構成すれば、従来のように培養条件が同じ試料毎に分けて別々の生化学用容器に収容して培養してから、それらの生化学用容器毎に測定する必要がなく、能率良く測定することができる。
更に、各収容容器と容器支持部とを各別に形成してあるので、各試料収容部の底部下面を研磨するに際して、各試料収容部毎に対応する箇所のみを研磨し易い。
従って、試料収容部の形成材料に対する性質や培養条件などが異なる各種試料でも、一つの生化学用容器を使用して能率良く測定でき、その上、各試料収容部の底部下面を少ない研磨面積で効率良く研磨し易い。
【０００７】
請求項２記載の発明の特徴構成は、厚み方向に貫通する複数の貫通孔を形成してある板材で前記容器支持部を構成し、前記収容容器の外周面を前記貫通孔に入り込ませて、前記収容容器を前記容器支持部に着脱自在に支持してある点にある。
【０００８】
〔作用及び効果〕
板材に厚み方向に貫通する複数の貫通孔を形成して容器支持部を構成し、それらの貫通孔に収容容器の外周面を入り込ませて、収容容器を容器支持部に着脱自在に支持してあるので、容器支持部を簡便に製作できる。
【０００９】
請求項３記載の発明の特徴構成は、前記収容容器の外周面と前記貫通孔の内周面とを下方側ほど小径の円錐台形状に形成し、前記収容容器の外周面を前記貫通孔の内周面に嵌合して、前記収容容器を前記容器支持部に着脱自在に支持してある点にある。
【００１０】
〔作用及び効果〕
収容容器の外周面と貫通孔の内周面とを下方側ほど小径の円錐台形状に形成し、収容容器の外周面を貫通孔の内周面に嵌合して、収容容器を容器支持部に着脱自在に支持してあるので、収容容器の外周面と貫通孔の内周面とを円筒状に形成して互いに嵌合させる場合に比べて、広い嵌合面で収容容器を容器支持部に安定した姿勢で支持できるようにしながら、収容容器を貫通孔から容易に取り出すことができる。
【００１１】
【発明の実施の形態】
以下に本発明の実施の形態を図面に基づいて説明する。
〔第１実施形態〕
図１，図２は、光透過性の底部１を備えた複数の試料収容部（セル) Ａを縦横に並設してある生化学容器を示し、試料収容部Ａを構成する複数の収容容器Ｂと、収容容器Ｂの複数を支持可能な容器支持部Ｃとを各別に形成してある。
【００１２】
前記収容容器Ｂの各々は、図２に示すように、底部１側ほど径が小さい円錐台形状のテーパ状外周面２とテーパ状内周面３とを備えた略一定厚さの周壁部４と、略一定厚さの扁平な円形底板部５とを一体に備えている。
【００１３】
前記収容容器Ｂには、例えば、８０％以上の高い紫外線透過率を有する天然石英ガラスや、合成石英ガラス，ホウケイ酸ガラスなどの紫外線分光分析に好適の紫外線透過性のガラス材料で一体形成してあるガラス製収容容器Ｂ１と、ポリスチレン樹脂等の各種紫外線透過性の合成樹脂材料で一体形成してある樹脂製収容容器Ｂ２とがあり、いずれの収容容器Ｂ１，Ｂ２も同じ寸法形状に形成してある。
【００１４】
前記容器支持部Ｃは、ソーダライムガラス等の各種ガラスや、各種セラミック，各種金属などの無機材料製の長方形の板材６に、厚み方向に貫通する複数の貫通孔７を同じ寸法形状で形成して構成してあり、各貫通孔７の内周面８は、収容容器Ｂの外周面２と略同じテーパ角度で、最大径が収容容器Ｂの最大外径よりも若干小さく、最小径が収容容器Ｂの最小外径よりも若干小さい下方側ほど小径の円錐台形状に形成してある。
【００１５】
そして、ガラス材料で形成してある収容容器Ｂ１と合成樹脂材料で形成してある収容容器Ｂ２とを、その外周面２を貫通孔７に入り込ませて、収容容器Ｂ１，Ｂ２を掴み易いように上端部が容器支持部Ｃの上面から若干突出する状態で、収容容器Ｂ１，Ｂ２の外周面２を貫通孔７の内周面８に嵌合し、その底面９が下方に露出し、かつ、容器支持部Ｃの光測定装置などへの設置部１０を構成する板材６の下面よりも下方に突出しないように、共通の容器支持部Ｃに着脱自在に支持してある。
【００１６】
〔第２実施形態〕
図３は、生化学容器の別実施形態を示し、第１実施形態で示した容器支持部Ｃを、その上面及び側周面，各貫通孔７の内周面８に沿って薄肉に形成して、各貫通孔７に収容容器Ｂを着脱自在に支持してある。
その他の構成は第１実施形態と同様である。
【００１７】
〔第３実施形態〕
図４は、生化学容器の別実施形態を示し、第１実施形態で示した板材よりも薄い長方形の板材６に複数の貫通孔７を形成するとともに、その板材６の下面側外周部に沿って補強用リブ１１を環状に設けて容器支持部Ｃを構成し、容器支持部Ｃの各貫通孔７に収容容器Ｂの外周面２を入り込ませて、その底部１が板材６よりも下方に突出し、かつ、設置部１０を構成する補強用リブ１１よりも下方に突出しないように、容器支持部Ｃに着脱自在に支持してある。
その他の構成は第１実施形態と同様である。
【００１８】
〔第４実施形態〕
図５は、生化学容器の別実施形態を示し、各収容容器Ｂの周壁部４の上縁に外方側に突出する環状の鍔１２を一体形成し、その鍔１２を第２実施形態で示した容器支持部Ｃの板材６の上面に引っ掛けて、容器支持部Ｃに着脱自在に支持してある。
その他の構成は第３実施形態と同様である。
【００１９】
〔第５実施形態〕
図６は、生化学容器の別実施形態を示し、第１実施形態で示した板材よりも薄い長方形の板材６に複数の貫通孔７を形成するとともに、その上面側外周部に沿って補強用リブ１１を環状に設けて容器支持部Ｃを構成し、容器支持部Ｃの各貫通孔７に収容容器Ｂの底部１を入り込ませて、設置部１０を構成する板材６の下面よりも下方に突出しないように、容器支持部Ｃに着脱自在に支持してある。
その他の構成は第１実施形態と同様である。
【００２０】
〔その他の実施形態〕
１．本発明による生化学容器は、同一材料で形成してある複数の収容容器を容器支持部に着脱自在に支持してあっても良い。
２．本発明による生化学容器は、収容容器の上端面が容器支持部の上面と略面一になるように、複数の収容容器を着脱自在に支持してあっても良い。
３．本発明による生化学容器は、収容容器の底面が容器支持部の設置部下端と同じ高さになるように、複数の収容容器を着脱自在に支持してあっても良い。
４．本発明による生化学容器は、外径が全長に亘って略一定の筒状周壁部を備えた収容容器を、容器支持部に着脱自在に支持してあっても良い。
５．本発明による生化学容器は、角錐形状或いは角柱形状の周壁部を備えた収容容器を、容器支持部に着脱自在に支持してあっても良い。
６．本発明による生化学容器は、収容容器を、例えば、２３０ｎｍ〜３００ｎｍの紫外線の平均透過率が８５％以上と非常に高くて紫外線分光分析に極めて好適の、紫外線透過ガラス（フィリップス社製ＰＨ１６０) で形成してあっても良い。
【図面の簡単な説明】
【図１】生化学容器の一部切欠き斜視図
【図２】要部の断面図
【図３】第２実施形態を示す要部の断面図
【図４】第３実施形態を示す要部の断面図
【図５】第４実施形態を示す要部の断面図
【図６】第５実施形態を示す要部の断面図
【符号の説明】
１    底部
２    収容容器の外周面
６    板材
７    貫通孔
８    貫通孔の内周面
９    底面
１０  設置部
Ａ    試料収容部
Ｂ    収容容器
Ｃ    容器支持部
【図１】
2004191188.tif 000003
【図２】
2004191188.tif 000004
【図３】
2004191188.tif 000005
【図４】
2004191188.tif 000006
【図５】
2004191188.tif 000007
【図６】
2004191188.tif 000008